(57)【要約】【課題】  縦置きタイプのフィルターを掃除する際に、メッシュ部に捕集されたホコリが剥がれ落ちるのを防止し、また万が一剥がれ落ちた場合でも外周枠部に溜めることができて掃除を容易に行なえるようにすること。【解決手段】  脱臭ダクト１０の側面に設けた縦長開口部１２から脱臭ダクト１０内に抜き差し自在に挿入される縦置きタイプのフィルター１である。脱臭ダクト１０の上流側Ａから吸い込まれる空気中のホコリ５を捕集するメッシュ部２と、メッシュ部２の外周部を保持する外周枠部３とで構成され、メッシュ部２の吸い込み面２ａよりも上流側Ａに突出する外周枠部３の前端部を更に上流側Ａに突出させて、ホコリ５を溜めるスペースとなるホコリ溜め部４を外周枠部３のほぼ全周に亘って形成した。【選択図】        図１
2006000788.tif 000002
【特許請求の範囲】
【請求項１】
脱臭ダクトの側面に設けた縦長開口部から脱臭ダクト内に抜き差し自在に挿入される縦置きタイプのフィルターであって、脱臭ダクトの上流側から吸い込まれる空気中のホコリを捕集するメッシュ部と、メッシュ部の外周部を保持する外周枠部とで構成され、メッシュ部の吸い込み面よりも上流側に突出する外周枠部の前端部を更に上流側に突出させて、ホコリを溜めるスペースとなるホコリ溜め部を外周枠部のほぼ全周に亘って形成したことを特徴とするフィルター。
【請求項２】
上記ホコリ溜め部の一部に、フィルターが上下入れ間違い状態で縦長開口部に挿入されるのを防止するための誤挿入防止手段を設けたことを特徴とする請求項１記載のフィルター。
【発明の詳細な説明】
【技術分野】
【０００１】
本発明は、フィルターに関し、詳しくは縦置きタイプのフィルターを掃除する際にメッシュ部に捕集されたホコリが剥がれ落ちるのを防止しようとする技術に関するものである。
【背景技術】
【０００２】
従来より、脱臭ダクトの横長開口部から脱臭ダクト内に抜き差しされる横置きタイプのフィルターが知られている（例えば、特許文献１、特許文献２参照）。
【０００３】
ところが、従来の横置きタイプのフィルター１´を、脱臭ダクトの縦長開口部から脱臭ダクト内に抜き差しされる縦置きタイプのフィルターとして用いた場合にあっては、図４（ａ）のように、従来のフィルター１´はメッシュ部２の吸い込み面２ａと外周枠部３の前端面３ａとの段差が小さいため、フィルター１´を掃除するために脱臭ダクトの縦長開口部１２´から取り出す際に、図４（ｂ）のように、メッシュ部２で捕集されているホコリ５が縦長開口部１２´の前端壁のハウジング１１部分に擦れて剥ぎ落されてしまい、脱臭ダクト内に溜まるようになる。これを放置しておくと、ホコリ５が脱臭部に詰まって脱臭性能が低下することから、脱臭ダクト内部を掃除する必要があり、掃除に手間がかかるという問題があった。
【特許文献１】特開平１０−２１９７８８号公報
【特許文献２】特開２００１−２６２６６３号公報
【発明の開示】
【発明が解決しようとする課題】
【０００４】
本発明は上記の従来の問題点に鑑みて発明したものであって、脱臭ダクトの縦長開口部からフィルターを取り出す際に、メッシュ部に捕集されたホコリが脱臭ダクト内に落ちるのを防止でき、掃除を容易に行なえるようにしたフィルターを提供することを課題とするものである。
【課題を解決するための手段】
【０００５】
前記課題を解決するために本発明は、脱臭ダクト１０の側面に設けた縦長開口部１２から脱臭ダクト１０内に抜き差し自在に挿入される縦置きタイプのフィルターであって、脱臭ダクト１０の上流側Ａから吸い込まれる空気中のホコリ５を捕集するメッシュ部２と、メッシュ部２の外周部を保持する外周枠部３とで構成され、メッシュ部２の吸い込み面２ａよりも上流側Ａに突出する外周枠部３の前端部を更に上流側Ａに突出させて、ホコリ５を溜めるスペースとなるホコリ溜め部４を外周枠部３のほぼ全周に亘って形成したことを特徴としている。
【０００６】
このような構成とすることで、メッシュ部２の吸い込み面２ａがホコリ溜め部４のスペース分だけ外周枠部３の前端部よりも深く配置されるようになるので、フィルター１の取り出し時にメッシュ部２の吸い込み面２ａが縦長開口部１２の前端壁部分に擦られることがなくなり、メッシュ部２に捕集されたホコリ５が剥ぎ落されてしまうのを防止でき、また万が一、メッシュ部２のホコリ５が剥がれて落下した場合でも、外周枠部３に設けたホコリ溜め部４にホコリ５が溜められるので、脱臭ダクト１０内に落下することがなく、フィルター１の掃除を容易に行なうことができる。
【０００７】
また上記ホコリ溜め部４の一部に、フィルター１が上下入れ間違い状態で縦長開口部１２に挿入されるのを防止するための誤挿入防止手段６を設けるのが好ましい。
【０００８】
このような構成とすることで、仮りにフィルター１の上下を間違えて挿入しようとしても、凹凸部６によって縦長開口部１２に挿入できなくなり、これにより、ホコリ溜め部４がメッシュ部２よりも下流側Ｂに位置してしまうという誤挿入を未然に防止できる。
【発明の効果】
【０００９】
本発明に係る縦置きタイプのフィルターは、フィルターの外周枠部からホコリを溜めるスペースとなるホコリ溜め部を突設するという簡単な構成で、脱臭ダクトから引き出してフィルターを掃除する際に、メッシュ部にて捕集されたホコリが剥がれて脱臭ダクト内に落ちてしまうのを防止でき、また万が一、剥がれ落ちた場合でもホコリ溜め部に溜めることができるため、フィルターの掃除をきわめて容易に行なうことができる。
【発明を実施するための最良の形態】
【００１０】
以下、本発明を添付図面に示す実施形態に基いて説明する。
【００１１】
便器に設置される温水洗浄便座には脱臭ダクト１０が付設されている。この脱臭ダクト１０は、図３（ａ）に示すように、集塵用プレフィルター１と、脱臭ハニカム１５と、ファン１６とがハウジング１１内のダクト通路に収納され、集塵用プレフィルター１よりも上流に、便器ボウル側に開口した吸い込み口１３が設けられ、ファン１６よりも下流に外部に開口した吐き出し口１４が設けられている。
【００１２】
上記集塵用プレフィルター１（以下「フィルター１」という。）は、脱臭ダクト１０のハウジング１１の側面に設けた縦長開口部１２から抜き差し自在とされる縦置きタイプのものであり、図２に示すように、吸い込み口１３から吸い込まれる空気中のホコリやゴミ等（以下、ホコリ５という。）を捕集するメッシュ部２と、メッシュ部２の外周部を保持する外周枠部３とで構成されている。図中の７は中桟である。さらに、外周枠部３の手前側の端部には縦長開口部１２に対する挿入深さを規制するためのストッパ用リブ８が設けられ、さらにその手前には、縦長開口部１２の外側に突出する取手９が設けられている。
【００１３】
ここで、本発明においては、図２（ｂ）、（ｃ）に示すように、メッシュ部２の吸い込み面２ａよりも上流側Ａに突出する外周枠部３の前端部を、更に上流側Ａに突出させて、ホコリ５を溜めるスペースとなるホコリ溜め部４を形成している。このホコリ溜め部４は外周枠部３のほぼ全周に亘って形成されている。これにより、メッシュ部２の吸い込み面２ａがホコリ溜め部４のスペースＳ分だけ外周枠部３の前端部分よりも深い位置（下流側Ｂの位置）に配置されるようになっている。このホコリ溜め部４は、フィルター１を脱臭ダクト１０の縦長開口部１２から取り出す際メッシュ部２からホコリ５の剥がれ落ちを防ぐ役割と、また万が一ホコリ５が剥がれてもホコリ５がフィルター１の外部に落下するのを防ぐ役割とを果す。
【００１４】
しかして、フィルター１の取り出し時にメッシュ部２の吸い込み面２ａが縦長開口部１２の前端壁に擦られてメッシュ部２に捕集されたホコリ５が剥ぎ落されてしまうことがなくなり、また万が一、メッシュ部２のホコリ５が剥がれて落下した場合でも、外周枠部３に設けたホコリ溜め部４にホコリ５が溜められるので、脱臭ダクト１０内に落下することがない。従って、ホコリ５が脱臭ダクト１０内に落ちて脱臭ハニカム１５に詰まるようなことがなくなり、脱臭ダクト１０内の掃除も不要となる。
【００１５】
しかも、外周枠部３にホコリ溜め部４となるスペースＳを設けることで、外周枠部３が肉厚となり、これにより、外周枠部３の強度、ひいてはフィルター１の強度を向上させることができる利点もある。
【００１６】
ところで、フィルター１を上下入れ間違えた場合は、ホコリ溜め部４がメッシュ部２よりも下流側Ｂに位置してしまい、ホコリ溜め部４として機能しなくなる。そこで、フィルター１の上下入れ間違いを防止するために、本発明では、ホコリ溜め部４の一部に誤挿入防止手段６を設けている。その一例として、図１、図２に示すように、ホコリ溜め部４の上端側に凹段部６ａを切欠形成している。この凹段部６ａは、脱臭ダクト１０の縦長開口部１２側に設けられた凸段部６ｂと対向している。これにより、フィルター１の上下を間違えて挿入しようとした場合は、縦長開口部１２側の凸段部６ｂがホコリ溜め部４の凹段部６ａ以外の部位に当たることで、フィルター１の挿入ができなくなり、挿入ミスを確実に防止できるようになる。なお、誤挿入防止手段６として凹凸形状ではなく、上下を表示するための目印などであってもよい。
【００１７】
本発明に係る縦置きタイプのフィルター１は、前記実施形態のような集塵用プレフィルターに適用されるだけでなく、脱臭用フィルターにも広く適用されるものである。
【図面の簡単な説明】
【００１８】
【図１】本発明の一実施形態を示し、（ａ）はフィルターを脱臭ダクトの縦長開口部から引き出した状態の斜視図、（ｂ）は引き出し途中の斜視図である。
【図２】（ａ）は同上のフィルターの正面図、（ｂ）は側面断面図、（ｃ）は拡大断面図である。
【図３】（ａ）は同上の脱臭ダクトの平面図、（ｂ）は要部拡大図である。
【図４】（ａ）は従来のフィルターを脱臭ダクトの縦長開口部から引き出した状態の斜視図、（ｂ）は引き出し途中の斜視図である。
【符号の説明】
【００１９】
１  フィルター
２  メッシュ部
２ａ  吸い込み面
３  外周枠部
４  ホコリ溜め部
５  ホコリ
６  凹凸部
１０  脱臭ダクト
１２  縦長開口部
１３  吸い込み口
Ａ  上流側
Ｂ  下流側
【図１】
2006000788.tif 000003
【図２】
2006000788.tif 000004
【図３】
2006000788.tif 000005
【図４】
2006000788.tif 000006